(57)【特許請求の範囲】
【請求項１】
全体として先細縦長形状とされ、横断面形状が略円形状とされた錘本体の全外周面が、先端部分に連続して上方向に流線形状とされ、該錘本体の外周に、縦方向に連続する複数の溝条が形成され、
前記複数の溝条は、錘本体の外周方向に等間隔であり、各溝条の溝底は円弧状に凹陥して形成され、各溝条の溝底の両側壁面は、隣接する溝条の両側壁面と、錘本体の横断面円形状とした外壁面に沿って円弧状に連続していることを特徴とするイカ釣り用錘。
【請求項２】
前記錘本体は、その軸方向の長さが略１１０ｍｍ〜略２００ｍｍ、その最大径部分の直径が略２１ｍｍ〜略５０ｍｍ、前記溝条は、錘本体の外周方向に等間隔で２条〜１０条形成されていることを特徴とする請求項１記載のイカ釣り用錘。
【発明の詳細な説明】
【技術分野】
【０００１】
本発明は、鉛分銅ロケット型のイカ釣り用錘、特に、イカ釣り船としての漁船に多数搭載されて用いられるイカ釣り機用の錘に関するものである。
【背景技術】
【０００２】
下記特許文献１に示すように、イカ釣り船には、漁船の舷側に沿って、複数台のイカ釣り機が比較的密に隣り合うように配置されるようになっている。このようなイカ釣り機は、下端に錘が取り付けられ、中間には多数のイカ釣り針が設けられた釣り糸が、回転ドラムを介して、海中から巻き上げられ、又は、巻き戻される操作を繰り返すことにより、イカの魚群からイカを効率よく釣り上げて収納するようにしている。
【０００３】
従来、このようなイカ釣り用の錘は、六角型が主流であった。その傾向は、この数十年来ほとんど変わっていない。
ところが、イカ釣り機は、年々改良が進み、性能が良くなっており、巻き上げ、巻き戻しのスピード化が進んでいるが、このようなイカ釣り機の能力に錘がついていけない状況になっている。
【０００４】
そこで、錘の役割も、イカ釣り機のスピード化に伴い、早く、スムーズに沈み、スムーズに引き上げられることが必要になった。
【先行技術文献】
【特許文献】
【０００５】
【特許文献１】特開平１０−３１３７５５号公報
【発明の概要】
【発明が解決しようとする課題】
【０００６】
従来の六角型のイカ釣り用錘は、沈む時、引き上げる時、水の抵抗が大きく、沈む速度が遅くなっている。また、回転しようとする。錘が回転することにより、釣り糸が絡み、トラブルの原因となる。
【０００７】
本発明は、以上の問題点に鑑みてなされたものであって、その目的とするところは、イカ釣り機のスピード化に伴い、錘が沈む速度を上げ、また、沈む時の回転を防ぐようにした、イカ釣り用錘及び該錘を釣り糸の先端に設けたイカ釣り機を提供するものである。
【課題を解決するための手段】
【０００８】
上記課題を解決するための手段を、図の実施の形態を参照して説明する。
本発明のイカ釣り用錘１は、全体として先細縦長形状とされ、横断面形状が略円形状とされた錘本体２の外周に、縦方向に連続する１条又は複数条の溝条３が形成されたことを特徴とする。
【０００９】
本発明のイカ釣り用錘１は、全体として先細縦長形状とされ、横断面形状が略円形状とされた錘本体２の全外周面が、小円弧状とされた先端部分に連続して上方向に流線形状とされ、該錘本体２の外周に、縦方向に連続する複数の溝条３が形成されたことを特徴とする。
【００１０】
上記のイカ釣り用錘１は、その錘本体２が全体として横断面形状が略円形状の先細縦長形状、又は、円弧状とされた先端部分に連続して上方向に流線形状とされていることから、海中への沈下時の水の抵抗が小さくなった。また、溝条３が入っていることにより、方向性が安定し、海中での回転が少なくなった。これにより、海中への昇降速度が増し、回転によるトラブルが少なくなることにより、イカ魚群中に往復する回数を増すことができた。
【００１１】
本発明のイカ釣り用錘１は、前記複数の溝条３は、錘本体２の外周方向に等間隔であり、各溝条３の溝底は円弧状に凹陥して形成され、各溝条３の溝底の両側壁面は、隣接する溝条３の両側壁面と、錘本体２の横断面円形状とした外壁面に沿って円弧状に連続していることを特徴とする。
【００１２】
上記の構成では、錘本体２の外周に沿った海流が、溝条３の断面円弧形状の溝底に沿って流れ、錘本体２を揺動又は回転させることがない。
【００１３】
実施例のイカ釣り用錘１では、前記錘本体２は、その軸方向の長さ（ｈ）が略１１０ｍｍ〜略２００ｍｍ、その最大径部分の直径（ｄ）が略２１ｍｍ〜略５０ｍｍ、前記溝条３は、錘本体２の外周方向に等間隔で２条〜１０条形成されている。
【００１４】
実施例の錘本体２では、その軸方向の長さ（ｈ）が略１５５ｍｍ、その最大径部分の直径（ｄ）が略３６ｍｍ、溝条３は、錘本体２の外周方向に等間隔（６０度間隔）で６条形成されている。実施例の錘１は、鉛の重金属により形成され、その重量は、略２８０匁〜略４００匁とされている。錘１は、鉄や合金により形成されていても良い。
【００１５】
イカ釣り機１０では、前記のイカ釣り用錘１を用い、前記イカ釣り用錘１が釣り糸５の下端に結合され、釣り糸５ワイヤーの下部にはテグスにより多数の中間錘兼用のイカ針６が、釣り糸の長手方向に間隔をおいて設けられ、該釣り糸５が、回転ドラム１３を介して巻き上げ又は巻き戻されるようにしたことを特徴とする。
【００１６】
上記のイカ釣り機１０は、イカ釣り船２０の漁船の甲板の舷側に沿って、多数並設し、舷側から海中に、釣り糸５を回転ドラム１３を介して巻き上げ又は巻き戻す操作を繰り返すことにより、イカの魚群からイカを効率よく釣り上げて収納するようにしている。
【発明の効果】
【００１７】
本発明のイカ釣り用錘では、海中への沈下時の水の抵抗が小さくなり、また、溝条が入っていることにより、方向性が安定し、水中での回転が少なくなった。これにより、海中への昇降速度が増し、回転によるトラブルが少なくなることにより、イカ魚群中に往復する回数を増すことにより、効率良くイカを釣り上げることができる。
【００１８】
本発明のイカ釣り用錘では、沈下時の方向性が安定し、錘本体の外周に沿った海流が、溝条の断面円弧形状の溝底に沿って流れ、錘本体を回転させることが少なくなり、回転によるトラブルがより少なくなる。
【００１９】
本発明のイカ釣り用錘を釣り糸の先端に設けたイカ釣り機を、イカ釣り船となる漁船の甲板の舷側に沿って、多数並設してイカ釣り漁を行うことにより、単位時間当たりの釣り糸の昇降回数が増し、且つ、錘の回転による釣り糸のタルミや流れも解消され、トラブルも大幅に解消される。これにより、イカ釣り船による、この種、イカ釣り漁の効率を、大きく向上させる効果がある。
【図面の簡単な説明】
【００２０】
【図１】本発明の実施形態によるイカ釣り用錘の正面図である。
【図２】正面図におけるＡ−Ａ断面図である。
【図３】正面図におけるＢ−Ｂ断面図である。
【図４】本発明の実施形態によるイカ釣り用錘の平面図である。
【図５】同イカ釣り用錘の底面図である。
【図６】同イカ釣り用錘の使用状態を示す図である。
【図７】イカ針の正面図である。
【図８】本発明のイカ釣り機を搭載したイカ釣り船の平面図である。
【図９】同イカ釣り船の側面図である。
【発明を実施するための形態】
【００２１】
以下、本発明を適用した実施の形態例を図を参照して説明する。
図１〜図５は、本発明に係るイカ釣り用錘の実施の形態を示している。
実施の形態の係る錘１は、鉄又は合金、又は鉛などの重金属により形成された鉛分銅ロケット型であり、錘本体２が、全体として先細縦長形状で、横断面形状が略円形状であり、その外周面が、小円弧状とされた先端部分に連続して上方向に流線形状とされている。錘本体２は、その外周面が、小円弧状とされた先端部分に連続して上方向に連続して拡大し、最大直径部分から、さらに上方向に連続して縮径して、頂部の大円弧部分に連続し、全体として、縦断面形状が略長楕円形状で、上方向に流線形状とされている。
錘本体２の外周には、縦方向に連続する複数（本実施の形態では６条）の溝条３が、円周方向に等間隔（本実施の形態では６０度の間隔）で形成されている。
【００２２】
上記複数（６条）の各溝条３は、その溝底が円弧状に凹陥して形成され、各溝条３の溝底の両側壁面は、隣接する溝条３の両側壁面と、錘本体２の横断面円形状とした外壁面に沿って円弧状に連続して形成されている。
【００２３】
錘本体２の、上方向に大円弧状とされた頂部には、連結環４が設けられている。連結環４が釣り糸５の下端に連結されることにより、錘１は釣り糸５の下端に結合されて用いられる。
【００２４】
図の実施例の錘１では、その錘本体２は、その軸方向の長さ（ｈ）が略１５５ｍｍ、その最大径部分の直径（ｄ）が略３６ｍｍ、溝条３は、錘本体２の外周方向に等間隔（６０度間隔）で６条形成されている。実施例の錘１は、鉛により形成され、その重量は、略２８０匁〜４００匁とされている。
このような錘１を、釣り糸５の下端に連結して海中に沈下させることにより、従来の六角型の錘に比較し、沈下速度が増し、回転によるトラブルが減少したことが、実験により確認されている。
【００２５】
図６は、上記錘の使用状態の図、図７は、イカ針の正面図である。
図６に示すように、錘１は、釣り糸５の下端に連結されて、海中に昇降自在に垂下される。釣り糸５は、その中間に、多数の中間錘兼用のイカ針６が上下所定間隔で設けられている。
【００２６】
図７に示すように、イカ針６は、棒状若しくは縦断面略長楕円形状の中間錘部６ｂの下部の延長軸部の全外周に、上下二段に針部６ａを設けている。針部６ａは、多数の引っ掛け針が針先を上方に向けて円周方向にカップ型に設けられている。イカ針６の上下端部、すなわち、中間錘部６ｂの上端部と針部６ａの底面部には、連結環部６ｃ，６ｃが形成されている。
【００２７】
釣り糸５は、ワイヤーよりなる巻き上げ部の下部にテグスよりなるイカ針６の連結部が連続し、テグスの上下端部がイカ針６の上下連結環部６ｃ，６ｃに連結されることにより、下端に錘１が連結された釣り糸５が、１本に連続している。
このような釣り糸５が、海面上に延出される案内ローラ１１を介して、後述するイカ釣り機１０によって、海中に、シャクリながら沈められ、又は、巻き上げられることにより、イカの魚群からイカを釣り上げて、イカ釣り機１０が設置されるイカ釣り船２０上に釣り上げることになる。
【００２８】
上記のようなイカ釣り機１０によれば、その釣り糸５の下端の錘１の錘本体２が全体として横断面形状が略円形状で、小円弧状とされた先端部分に連続して上方向に流線形状とされていることから、海中への沈下時の水の抵抗が小さくなった。また、溝条３が入っていることにより、方向性が安定し、海中での回転が少なくなった。これにより、海中への昇降速度が増し、回転によるトラブルが少なくなることにより、イカ魚群中に往復する回数を増すことができ、効率の良いイカ釣り漁を行うことができる。
【００２９】
また、錘本体２の外周に沿った海流が、溝条３の断面円弧形状の溝底に沿って流れ、錘本体２を揺動又は回転させることがなく、海流等による釣り糸５の流れや揺動も有効に防止され、イカ釣り作業中のトラブルも一層減少する。
【００３０】
図８は上記イカ釣り機１０が配置された漁船としてのイカ釣り船２０の平面図、図９は同側面図である。
イカ釣り機１０は、モーターが内装される本体１２の左右に、モーターによって所定のタイミングでシャクリながら正逆回転駆動される回転ドラム１３が軸支されている。該左右の回転ドラム１３の、海面への延長上には、上記左右の案内ローラ１１が設けられている。
【００３１】
このようなイカ釣り機１０が、多数、イカ釣り船２０の甲板上に、比較的密に並設されている。
各イカ釣り機１０からは、甲板上の回転ドラム１３、海面上の案内ローラ１１を介して、ワイヤーよりなる釣り糸５が、海中に昇降自在に延出されている。釣り糸５の下端には本発明の錘１が連結され、錘１に連続する下部には多数の中間錘兼用のイカ針６を所定間隔で設けた釣り糸５が、海中に昇降自在に延出されている。
【００３２】
船の大きさにもよるが、一般に、略２０本〜３０本のワイヤーよりなる釣り糸５がイカ釣り船２０の舷側から海中に略１００Ｍ〜２５０Ｍの深さに下げられており、隣り合う釣り糸５の距離は、１．５Ｍ〜２Ｍしか離れていない。１本の釣り糸には約２５個〜約３５個のイカ針６がテグスにより所定間隔で直列して設けられている。
【００３３】
上記の錘１を用いたイカ釣り機１０によれば、錘１を下端に結合した釣り糸５ワイヤーの海中への沈下スピードが増し、海中での回転が少なくなることから、イカ針６が魚群中に往復する回数が増し、釣り糸の流れにトラブルも少なくなり、効率よくイカ釣り漁を行うことができた。
【産業上の利用可能性】
【００３４】
本発明に係るイカ釣り用錘は、イカ釣り漁のみならず、類似の糸釣り漁にも適応できる。これにより、水中への釣り糸の沈下速度を早くすることができ、回転によるトラブルを減少させることができる。
【符号の説明】
【００３５】
１  錘
２  錘本体
３  溝条
４  連結環
５  釣り糸
６  イカ針
６ａ  針部
６ｂ  錘部
６ｃ  連結環部
１０  イカ釣り機
１１  案内ローラ
１２  本体
１３  回転ドラム
２０  イカ釣り船
【図１】
0005628878.tif 000002
【図２】
0005628878.tif 000003
【図３】
0005628878.tif 000004
【図４】
0005628878.tif 000005
【図５】
0005628878.tif 000006
【図６】
0005628878.tif 000007
【図７】
0005628878.tif 000008
【図８】
0005628878.tif 000009
【図９】
0005628878.tif 000010